(57)【要約】  【課題】カプラの破損等の不具合を適切に防止できる農作業機を提供する。  【解決手段】農作業機45は、トラクタに取り付けたカプラ６の下部係合フック部８と係合する下部係合受け部22を有する作業機本体20を備える。農作業機45は、カプラ６と作業機本体20とを連結し、作業時に互いに係合した下部係合フック部８および下部係合受け部22間に作用する力を軽減する連結補強体31を備える。  【選択図】図１
2006223255.tif 000002
【特許請求の範囲】
【請求項１】
走行車に取り付けられたカプラのカプラ側係合部と係合する作業機側係合部を有する作業機本体と、
前記走行車および前記カプラの少なくともいずれか一方と前記作業機本体とを連結し、作業時に前記互いに係合したカプラ側係合部および作業機側係合部間に作用する力を軽減する連結補強体と
を備えることを特徴とする農作業機。
【請求項２】
走行車に取り付けられたカプラのカプラ側係合部と作業機本体の作業機側係合部とを互いに係合させる工程と、
作業時に前記互いに係合したカプラ側係合部および作業機側係合部間に作用する力が軽減されるように、前記走行車および前記カプラの少なくともいずれか一方と前記作業機本体とを連結補強体にて連結する工程と、
を備えることを特徴とする農作業機の走行車への連結方法。
【発明の詳細な説明】
【技術分野】
【０００１】
本発明は、カプラの破損等の不具合を適切に防止できる農作業機および農作業機の走行車への連結方法に関するものである。
【背景技術】
【０００２】
従来から、農作業機のトラクタ（走行車）への連結作業を容易にするものとして、カプラ（クイックカプラ）が広く知られている（例えば、特許文献１参照）。
【特許文献１】特開２０００−２５３７０５号公報（図５）
【発明の開示】
【発明が解決しようとする課題】
【０００３】
しかしながら、カプラを使用して例えば大きな牽引力が必要となる部分深耕機等の農作業機をトラクタに連結した場合には、部分深耕作業等の作業時にカプラのフック等が破損するおそれがある。
【０００４】
本発明は、このような点に鑑みなされたもので、カプラの破損等の不具合を適切に防止できる農作業機および農作業機の走行車への連結方法を提供することを目的とする。
【課題を解決するための手段】
【０００５】
請求項１記載の農作業機は、走行車に取り付けられたカプラのカプラ側係合部と係合する作業機側係合部を有する作業機本体と、前記走行車および前記カプラの少なくともいずれか一方と前記作業機本体とを連結し、作業時に前記互いに係合したカプラ側係合部および作業機側係合部間に作用する力を軽減する連結補強体とを備えるものである。
【０００６】
そして、作業時に互いに係合したカプラ側係合部および作業機側係合部間に作用する力が連結補強体によって軽減されるので、カプラの破損等の不具合を適切に防止可能である。
【０００７】
請求項２記載の農作業機の走行車への連結方法は、走行車に取り付けられたカプラのカプラ側係合部と作業機本体の作業機側係合部とを互いに係合させる工程と、作業時に前記互いに係合したカプラ側係合部および作業機側係合部間に作用する力が軽減されるように、前記走行車および前記カプラの少なくともいずれか一方と前記作業機本体とを連結補強体にて連結する工程とを備えるものである。
【０００８】
そして、作業時に互いに係合したカプラ側係合部および作業機側係合部間に作用する力が連結補強体によって軽減されるので、カプラの破損等の不具合を適切に防止可能である。
【発明の効果】
【０００９】
本発明によれば、作業時に互いに係合したカプラ側係合部および作業機側係合部間に作用する力が連結補強体によって軽減されるので、カプラの破損等の不具合を適切に防止できる。
【発明を実施するための最良の形態】
【００１０】
本発明の農作業機の一実施の形態を図面を参照して説明する。
【００１１】
図１において、１は走行車であるトラクタで、このトラクタ１は、作業機昇降支持装置である３点リンクヒッチ部２を後部に備えている。３点リンクヒッチ部２は、１本のトップリンク３および左右一対で２本のロワリンク４を有している。
【００１２】
また、図１ないし図３に示されるように、トラクタ１の３点リンクヒッチ部２には、カプラ（クイックカプラ）６が取り付けられている。カプラ６は、上部に上部係合部である上部係合フック部７を有し、下部に左右一対の下部係合部である下部係合フック部（係合フック部であるカプラ側係合部）８を有している。
【００１３】
下部係合フック部８は、フック取付板部９に軸部10を中心として回動可能に取り付けられ、この下部係合フック部８は操作レバー部11の操作により軸部10を中心としてロック位置およびロック解除位置間で回動する。また、フック取付板部９からは、先端部に貫通孔12が形成された軸状の突出部13が側方に向って突出し、この突出部13が３点リンクヒッチ部２のロワリンク４に取り付けられている。
【００１４】
そして、カプラ６の上部係合フック部７と作業機本体20の上部係合部である軸状の上部係合受け部21とが係脱可能に係合し、カプラ６のロック位置に位置した左右一対の下部係合フック部８と作業機本体20の左右一対の下部係合部である軸状の下部係合受け部（係合受け部である作業機側係合部）22とが係脱可能に係合している。上部係合受け部21は、例えばトップマスト23の先端部に取着されたトップピンにて構成されている。下部係合受け部22は、例えばロワアーム（作業機枠部）24の先端部に着脱可能に取着されたピン25およびカラー26にて構成されている。ピン25の先端部には貫通孔27が形成されている。
【００１５】
また、カプラ６の突出部13と作業機本体20の下部係合受け部22とが、作業時に互いに係合した下部係合フック部８および下部係合受け部22間に作用する力を軽減する板状の連結補強体31にて連結されている。
【００１６】
連結補強体31は、例えばカプラ６および作業機本体20に跨るように取り付けられたやや長手状の１枚の連結プレート32にて構成されている。連結プレート32の一端側には孔部33が形成され、この孔部33にカプラ６の突出部13が差し込まれ、この差し込まれた突出部13の貫通孔12にリンチピン等の止めピン34が挿通装着されている。また、連結プレート32の他端側には孔部35が形成され、この孔部35に作業機本体20の下部係合受け部22のピン25が差し込まれ、この差し込まれたピン25の貫通孔27にリンチピン等の止めピン36が挿通装着されている。
【００１７】
また一方、図１に示すように、作業機本体20は、支持フレーム41を有し、この支持フレーム41にはチゼル42、切削板43および反転板44がそれぞれ着脱可能に取り付けられている。なお、チゼル42、切削板43および反転板44で部分深耕作業を行う作業機本体20と、カプラ６と作業機本体20とを連結する連結補強体31とにて、部分深耕機等の農作業機45が構成されている。
【００１８】
次に、農作業機45をトラクタ１に連結する方法等について説明する。
【００１９】
トラクタ１の３点リンクヒッチ部２に予め取り付けておいたカプラ６に作業機本体20をセットした後、作業時（部分深耕作業時等）に互いに係合した下部係合フック部８および下部係合受け部22間に作用する力が軽減されるように、連結補強体31にてカプラ６と作業機本体20とを連結する。
【００２０】
すなわち例えば、まず、止めピン34をカプラ６の突出部13に装着し、止めピン36を作業機本体20の下部係合受け部22のピン25に装着し、下部係合フック部８をロック解除位置に位置させた状態で、カプラ６に作業機本体20をセットする。
【００２１】
次いで、操作レバー部11の操作により下部係合フック部８を軸部10を中心としてロック位置まで回動させ、カプラ６の下部係合フック部８と作業機本体20の下部係合受け部22とを互いに係合させる。
【００２２】
その後、止めピン34，36をそれぞれ一旦取り外してから、連結補強体31の孔部33，35にカプラ６の突出部13および作業機本体20の下部係合受け部22のピン25をそれぞれ差し込み、再度止めピン34，36を装着することで、連結補強体31によるカプラ６と作業機本体20との連結を完了する。
【００２３】
そして、作業機本体20の下端側を圃場の土中に挿入した状態で、トラクタ１の牽引走行により農作業機45を移動させると、作業機本体20のチゼル42、切削板43および反転板44にて部分深耕作業が行われる。この際、カプラ６と作業機本体20とを連結した連結補強体31である連結プレート32によって、互いに係合した下部係合フック部８および下部係合受け部22間に作用する力が軽減される。
【００２４】
このように農作業機45によれば、トラクタ１にとって大きな牽引力を必要とする部分深耕作業であっても、その作業時において互いに係合した下部係合フック部８および下部係合受け部22間に作用する力が連結補強体31である連結プレート32によって軽減されるので、カプラ６の下部係合フック部８の破損や、作業機本体20のピン25やカラー26の破損等の不具合を適切に防止できる。
【００２５】
なお、上記実施の形態では、連結補強体31を連結プレート32にて構成した場合について説明したが、例えば図４および図５に示すように、カプラ６と作業機本体20の下部係合受け部22とを連結する連結フック51にて構成しても、同様の作業効果を奏することができる。
【００２６】
連結フック51は、カプラ６の係合ピン部53と係脱可能に係合してカプラ６と作業機本体20とを連結するもので、ピン52にて構成された軸状の下部係合受け部22にこの下部係合受け部22を中心として回動可能に取り付けられている。連結フック51は、カプラ６と作業機本体20との連結時に、カプラ６の係合ピン部53と係脱可能に係合する係合凹部54を有している。また、連結フック51は、カプラ６と作業機本体20との連結時に、ロワアーム24に着脱可能に装着された回動規制用ピン55との当接により連結フック51の自重による下方回動を規制する当接部56を有している。カプラ６と作業機本体20との連結を解除する場合には、回動規制用ピン55をロワアーム24から取り外して連結フック51をその自重により下方回動させ、係合凹部54とカプラ６の係合ピン部52との係合を解除する。
【００２７】
なお、上記いずれの実施の形態でも、連結補強体31でカプラ６と作業機本体20とを連結する構成について説明したが、例えば連結補強体31でトラクタ１と作業機本体20とを連結する構成や、連結補強体31でカプラ６およびトラクタ１の両方と作業機本体20とを連結する構成等でもよい。例えば連結プレート32や連結フック51で、トラクタ１のロワリンク４と作業機本体20の下部係合受け部22とを連結するようにしてもよい。
【００２８】
また、例えば連結プレート32の被固定部を作業機本体20の補強体固定部にボルト等の固定具で解除可能に固定するようにしてもよい。
【００２９】
さらに、例えば連結プレート32の孔部35に、下部係合受け部22のピン25ではなく、ロワアーム24に設けた他のプレート保持用ピンを差し込んでこのプレート保持用ピンにリンチピン等の止めピンを挿通装着するようにしてもよい。
【００３０】
また、例えば連結プレート32の孔部33に、トラクタ１のロワリンク４を取り付ける突出部13ではなく、カプラ６に設けた他のプレート保持用ピンを差し込んでこのプレート保持用ピンにリンチピン等の止めピンを挿通装着するようにしてもよい。
【００３１】
さらに、互いに係合した上部係合フック部７および上部係合受け部21間に作用する力を連結補強体で軽減するようにしてもよい。
【図面の簡単な説明】
【００３２】
【図１】本発明の農作業機の一実施の形態を示す側面図である。
【図２】同上農作業機の要部側面図である。
【図３】同上農作業機の要部平面図である。
【図４】本発明の農作業機の他の実施の形態を示す要部側面図である。
【図５】同上農作業機の要部下面図である。
【符号の説明】
【００３３】
１    走行車であるトラクタ
６    カプラ
８    カプラ側係合部である下部係合フック部
20    作業機本体
22    作業機側係合部である下部係合受け部
31    連結補強体
45    農作業機
【図１】
2006223255.tif 000003
【図２】
2006223255.tif 000004
【図３】
2006223255.tif 000005
【図４】
2006223255.tif 000006
【図５】
2006223255.tif 000007